(57)【要約】      （修正有）【課題】全被覆式絶縁ラチェットスパナを提供する。【解決手段】この全被覆式絶縁ラチェットスパナは、スパナ本体１０とラチェット嵌合ユニット２０を包含し、該スパナ本体の外周表面が絶縁層１３で被覆され、該スパナ本体は上面と底面を貫通する穿孔を具え、並びに上面位置の穿孔周辺に環状に絶縁された外環凸部１６が凸設され、該ラチェット嵌合ユニットは該スパナ本体の穿孔中に置かれ、該スパナ本体の底面の穿孔外に伸出する嵌合部と該スパナ本体の上面の穿孔外に伸出する押圧部を具え、且つ該押圧部の外径は該外環凸部の内径より小さい。これにより順調に絶縁試験を通過でき、並びに操作者の安全性を確保できる。【選択図】図２
0003162667.tif 000002
【実用新案登録請求の範囲】
【請求項１】
全被覆式絶縁ラチェットスパナにおいて、
スパナ本体であって、該スパナ本体の外周表面が絶縁層で被覆され、該スパナ本体は上面と底面を貫通する穿孔を具え、並びに上面位置の穿孔周辺に環状に絶縁された外環凸部が凸設された、上記スパナ本体と、
ラチェット嵌合ユニットであって、該スパナ本体の穿孔中に置かれ、該スパナ本体の底面の穿孔外に伸出する嵌合部と該スパナ本体の上面の穿孔外に伸出する押圧部を具え、且つ該押圧部の外径は該外環凸部の内径より小さい、上記ラチェット嵌合ユニットと、
を包含したことを特徴とする全被覆式絶縁ラチェットスパナ。
【請求項２】
請求項１記載の全被覆式絶縁ラチェットスパナにおいて、該スパナ本体が作用部と操作者の握持に供されるハンドル部を具え、該作用部と該ハンドル部の外周表面に絶縁層が配設され、該穿孔は該作用部の上面と底面を貫通することを特徴とする全被覆式絶縁ラチェットスパナ。
【請求項３】
請求項１記載の全被覆式絶縁ラチェットスパナにおいて、該スパナ本体の該穿孔の周囲位置に絶縁された内環凸部が凸設され、該内環凸部の外径が該外環凸部の内径より小さいことを特徴とする全被覆式絶縁ラチェットスパナ。
【請求項４】
請求項１記載の全被覆式絶縁ラチェットスパナにおいて、該ラチェット嵌合ユニットの押圧部は絶縁されていることを特徴とする全被覆式絶縁ラチェットスパナ。
【考案の詳細な説明】
【技術分野】
【０００１】
本考案は一種のスパナに係り、さらに詳しくは、全被覆式絶縁ラチェットスパナに関する。
【背景技術】
【０００２】
一般にスパナは良好な剛性強度が求められるため、金属で製造されるが、使用時の感電の恐れを防止するため、スパナのハンドル部分は絶縁体（ゴム或いはプラスチック）で被覆されている。
【０００３】
しかし、上述のハンドル部分に絶縁効果を有するスパナは、その他の部分に何ら絶縁設計がないため、使用時に、不注意から接触して感電する状況が発生し得る。
【０００４】
このため、現在市場には全被覆式絶縁ラチェットスパナがある。図１を参照されたい。それはラチェットスパナ形式であり、全体のスパナ本体１が絶縁体で被覆され、ラチェット嵌合ユニットが該スパナ本体１に形成された穿孔２中に挿入され、該ラチェット嵌合ユニットの一端の嵌合部３が該穿孔２の一端外より突出し、ラチェット嵌合ユニットの別端の押圧部４が該穿孔２の別端外に露出している。嵌合部３は寸法上の精度を具えると共に所定の剛性を維持している必要があるため、金属外表面を有する必要があり、押圧部４は絶縁材料で製造され、押圧部４が押下げられて、嵌合部３の位置決めビーズ５が釈放されて、嵌合部３が回したい物品より脱出させられる。
【０００５】
しかし、このような全被覆式絶縁ラチェットスパナは、販売前に、絶縁試験機で絶縁試験を行う必要があり、その試験方法は、全被覆式絶縁ラチェットスパナを多くの導電ビーズ６中に埋め込み、並びにまず絶縁スリーブ７を該嵌合部３に嵌合し、該導電ビーズ６によりラチェット嵌合ユニットと導電するかを試験する。しかし、このような全被覆式絶縁ラチェットスパナは押圧部４の位置の穿孔２周縁に突出した環状フランジ８が形成されて、導電ビーズ６の穿孔２内のラチェット嵌合ユニットとの接触を防止するが、該環状フランジ８の外径は該押圧部４の内径より小さいために、押圧部４が弾き出された状態を呈する時、試験用の導電ビーズ６は穿孔２内に位置するラチェット嵌合ユニットに接近しすぎ、このため、導電してしまい、試験を通過できなくなる恐れがある。
【考案の概要】
【考案が解決しようとする課題】
【０００６】
以上を鑑み、本考案の目的は、一種の絶縁効果が良好な全被覆式絶縁ラチェットスパナを提供することにある。
【課題を解決するための手段】
【０００７】
本考案の提供する全被覆式絶縁ラチェットスパナは、
スパナ本体であって、該スパナ本体の外周表面が絶縁層で被覆され、該スパナ本体は上面と底面を貫通する穿孔を具え、並びに上面位置の穿孔周辺に環状に絶縁された外環凸部が凸設された、上記スパナ本体と、
ラチェット嵌合ユニットであって、該スパナ本体の穿孔中に置かれ、該スパナ本体の底面の穿孔外に伸出する嵌合部と該スパナ本体の上面の穿孔外に伸出する押圧部を具え、且つ該押圧部の外径は該外環凸部の内径より小さい、上記ラチェット嵌合ユニットと、
を包含する。
【考案の効果】
【０００８】
これにより本考案は順調に絶縁試験を通過でき、並びに操作者の安全性を確保できる。
【図面の簡単な説明】
【０００９】
【図１】周知の全被覆式絶縁ラチェットスパナの試験状態表示図である。
【図２】本考案の好ましい実施例の立体組合せ図である。
【図３】図２の実施例の試験状態表示図である。
【考案を実施するための形態】
【００１０】
図２と図３を参照されたい。本考案の好ましい実施例の提供する全被覆式絶縁ラチェットスパナ１００は、スパナ本体１０とラチェット嵌合ユニット２０を包含する。
【００１１】
図２及び図３に示されるように、該スパナ本体１０は、作用部１１と操作者の握持に供されるハンドル部１２を包含する。並びに該作用部１１と該ハンドル部１２の外周表面には絶縁層１３が配設されている。該作用部１１には上面と底面を貫通する穿孔１４が形成され、該作用部１１の上面の、該穿孔１４の周囲の位置には、絶縁された内環凸部１５が形成され、並びに該内環凸部１５より所定の距離離れた外周に、絶縁された外環凸部１６が凸設され、すなわち、該内環凸部１５の外径は該外環凸部１６の内径より小さい。
【００１２】
図２及び図３に示されるように、該ラチェット嵌合ユニット２０は、該スパナ本体１０の穿孔１４中に設置され、且つその嵌合部２１は底面位置の穿孔１４外に突出し、その押圧部２２は上面位置の穿孔１４外より突出し、並びに内環凸部１５の上方に位置し、且つ該押圧部２２は絶縁状態を呈し、すなわち、それは絶縁材料で製造されるため、該押圧部２２を押圧することで、該嵌合部２１に位置する位置決めビーズ２３の動作を制御して、まわしたい物品（図示せず）との分離を達成できる。
【００１３】
以上が、本考案の提供する好ましい実施例の全被覆式絶縁ラチェットスパナ１００の各部部品及びその組立方式の説明である。続いて、本考案の使用特徴について説明する。
【００１４】
本考案の全被覆式絶縁ラチェットスパナ１００を試験する時には、まず、絶縁スリーブ９９を該ラチェット嵌合ユニット２０の嵌合部２１に嵌合し、さらに、本考案を導電ビーズ９８を充満した試験装置中に置く。本考案のスパナ本体１０の外環凸部１６の内径は、該ラチェット嵌合ユニット２０の押圧部２２の外径よりやや大きいため、該押圧部２２が弾き起こされた状態の時、該外環凸部１６は依然として該導電ビーズ９８を外部にブロックし、該導電ビーズ９８はラチェット嵌合ユニット２０の比較的離れた区域外に隔離される。これにより、これら導電ビーズ９８は穿孔１４内のラチェット嵌合ユニット２０と接触不能であり、すなわち、距離が近すぎることによる導電が発生せず、このため、試験認証を通過することができ、並びに後日の操作者の使用時の感電を確実に防止できる。
【００１５】
以上は本考案の好ましい実施例の説明にすぎず、本考案の実施範囲を限定するものではなく、当業者が本考案に基づきなし得る均等の変化及び修飾は、いずれも本考案のカバーする範囲に属するものとする。
【符号の説明】
【００１６】
１  スパナ本体                ２  穿孔
３  嵌合部                    ４  押圧部
５  位置決めビーズ            ６  導電ビーズ
７  絶縁スリーブ              ８  環状フランジ
１００  全被覆式絶縁ラチェットスパナ
１０  スパナ本体              １１  作用部
１４  穿孔                    １２  ハンドル部
１３  絶縁層                  １５  内環凸部
１６  外環凸部                ２０  ラチェット嵌合ユニット
２１  嵌合部                  ２２  押圧部
２３  位置決めビーズ          ９９  絶縁スリーブ
９８  導電ビーズ
【図１】
0003162667.tif 000003
【図２】
0003162667.tif 000004
【図３】
0003162667.tif 000005